(57)【要約】【課題】高速道路での自動車車両のＣＯ２排出量を削減するとともに、一般道走行と高速道路移動の間で自動車車両の載せ替え、貨物の積替えの必要のない利便性のよい走行形態移行（モーダルシフト）を実現する高速道路車両搬送設備を提供する。【解決手段】高速道路１の中央分離帯２側のスペース位置に高速道路ガイドレール３が自動車車両走行路６に並行して設置され、高速道路ガイドレール３上には、複数の車両搬送装置５が、一定の前後間隔を保ちながら定速にて走行される。車両搬送装置５は、自動車車両走行路６側に腕木９を出しており、インターチェンジの進入路７から進入してきた自動車車両４が車両連結装置を使用して腕木９と連結することで、自動車車両４を牽引可能となる。自動車車両４の駆動装置をフリーラン状態として車両搬送装置５による牽引走行状態に入る。車両搬送装置５から離脱することで、目的地インターチェンジの退出路８から退出できる。【選択図】図１
2008280030.tif 000002
【特許請求の範囲】
【請求項１】
高速道路の中央分離帯側に前記高速道路の走行車線と並行して設けられた電力供給線と、前記電力供給線からの電力供給を受けて自動車車両を走行させる又は牽引搬送する高速道路車両搬送装置とを備えていることを特徴とする高速道路車両搬送設備。
【請求項２】
請求項１記載の高速道路車両搬送設備において、
前記高速道路の中央分離帯側に前記高速道路の走行車線と並行して設置された高速道路ガイドレールを備えており、
前記電力供給線は、前記高速道路ガイドレールに沿って敷設されており、
前記電力供給線からの電力供給を受けて走行する高速道路車両搬送装置が前記高速道路ガイドレールを専用走行路として走行することを特徴とする高速道路車両搬送設備。
【請求項３】
請求項１記載の高速道路車両搬送設備において、
前記高速道路ガイドレールに前記高速道路車両搬送装置を送り込み、又は回収する高速道路車両搬送装置スタッカーを設けたことを特徴とする高速道路車両搬送設備。
【請求項４】
請求項３記載の高速道路車両搬送設備において、
前記高速道路車両搬送装置スタッカーに、前記高速道路の交通需要に応じた数量の前記高速道路車両搬送装置を送り込むことを指示する基地管理設備を備えたことを特徴とする高速道路車両搬送設備。
【請求項５】
請求項１記載の高速道路車両搬送設備において、
前記高速道路車両搬送装置の走行位置、走行状態等の走行情報を入手し、管理し、事故や異常発生時に前記高速道路車両搬送装置に減速、停止、起動を指示する輸送管理装置を備えたことを特徴とする高速道路車両搬送設備。
【請求項６】
請求項１記載の高速道路車両搬送設備において、
前記高速道路の壁面、屋根部等の高速道路関連設備に設置されており、前記電力供給線に電力を供給する太陽光発電設備を備えたことを特徴とする高速道路車両搬送設備。
【請求項７】
請求項１又は６記載の高速道路車両搬送設備において、
前記電力供給線に電力を供給する変電設備を備えたことを特徴とする高速道路車両搬送設備。
【請求項８】
請求項１記載の高速道路車両搬送設備において、
前記電力供給線への供給電力量情報、前記電力供給線への電力供給設備の動作状態に関わる情報、前記高速道路の沿線の監視映像情報、及び前記高速道路の沿線の防災監視情報を入手し、管理し、事故や異常発生時に前記電力供給線への電力供給の遮断、投入を指示する電力管理設備を備えたことを特徴とする高速道路車両搬送設備。
【請求項９】
請求項１記載の高速道路車両搬送設備において、
前記高速道路車両搬送装置は、前記自動車車両に搭載されるバッテリーに電力を充電する充電機構を備えていることを特徴とする高速道路車両搬送設備。
【請求項１０】
請求項１記載の高速道路車両搬送設備において、
前記高速道路車両搬送装置は、牽引搬送する前記自動車車両に搭載されるＥＴＣ端末等の通信装置との間で、前記高速道路車両搬送装置の走行利用料金、前記自動車車両に搭載されるバッテリーに電力を充電する充電機構を使用した充電料金、前記高速道路車両搬送装置について登録した座席予約の利用料金等の料金情報について通信を行う通信機構を備えていることを特徴とする高速道路車両搬送設備。
【請求項１１】
請求項１０記載の高速道路車両搬送設備において、
前記高速道路車両搬送装置は、前記通信機構を介して、牽引搬送する前記自動車車両から設定入力された前記高速道路車両搬送装置の利用区間情報を受信し、前記高速道路車両搬送装置が前記設定された区間の終端位置に近づいた時に、その旨を検知し、且つ前記自動車車両が前記高速道路車両搬送装置と連結解除されるまで当該旨を報知する目覚まし報知機構を備えていることを特徴とする高速道路車両搬送設備。
【請求項１２】
請求項１記載の高速道路車両搬送設備において、
前記高速道路車両搬送装置は、牽引搬送する前記自動車車両の利用者に対し、前記高速道路車両搬送装置の走行利用料金、前記自動車車両に搭載されるバッテリーに電力を充電する充電機構を使用した充電料金、前記高速道路車両搬送装置について登録した座席予約の有無、またその利用料金等の情報を表示する表示機構を備えていることを特徴とする高速道路車両搬送設備。
【請求項１３】
請求項１記載の高速道路車両搬送設備において、
前記高速道路車両搬送装置は、前方を走行する前記高速道路車両搬送装置との距離を測定する前方距離測定機構を備えていることを特徴とする高速道路車両搬送設備。
【請求項１４】
請求項１記載の高速道路車両搬送設備において、
前記高速道路車両搬送装置は、前記ガイドレールの終端に近づいたことを検出する終端検知機構を備えていることを特徴とする高速道路車両搬送設備。
【請求項１５】
請求項１記載の高速道路車両搬送設備において、
前記高速道路車両搬送装置が前方を走行する前記高速道路車両搬送装置との距離が近づいたことを検出すること、前記ガイドレールの終端が近づいたことを検出したこと、又は前記高速道路車両搬送装置の走行位置、走行状態等の走行情報を入手し、管理し、事故や異常発生時に前記高速道路車両搬送装置に減速、停止、起動を指示する輸送管理装置から指示を受けることに応答して、減速、停止する速度制限機構を備えていることを特徴とする高速道路車両搬送設備。
【請求項１６】
請求項１記載の高速道路車両搬送設備において、
前記高速道路車両搬送装置は、前記自動車車両の使用者の操作により緊急停止させる非常停止機構を備えていることを特徴とする高速道路車両搬送設備。
【請求項１７】
請求項１記載の高速道路車両搬送設備において、
前記高速道路車両搬送装置は、後方及び又は前方を走行する前記高速道路車両搬送装置との距離を確保し、追突された場合の衝撃を緩和する衝撃緩和機構を備えていることを特徴とする高速道路車両搬送設備。
【請求項１８】
請求項１記載の高速道路車両搬送設備において、
前記高速道路ガイドレールは、前記高速道路ガイドレール上を走行中の前記高速道路車両搬送装置との間で通信するガイドレール通信機構を備えていることを特徴とする高速道路車両搬送設備。
【請求項１９】
請求項１記載の高速道路車両搬送設備において、
前記高速道路車両搬送装置は、前記高速道路ガイドレール上を走行中に前記ガイドレール通信機構との間で通信する車両搬送装置ガイドレール通信機構を備えていることを特徴とする高速道路車両搬送設備。
【請求項２０】
請求項３記載の高速道路車両搬送設備において、
前記高速道路車両搬送装置スタッカーは、前記高速道路ガイドレールの終端まで前記高速道路車両搬送装置が前記自動車車両と連結状態にあることが検知された場合に、当該高速道路車両搬送装置を、前記自動車車両と解除状態にある他の前記高速道路車両搬送装置と分離して留置させる居残り車両留置機構を備えていることを特徴とする高速道路車両搬送設備。
【請求項２１】
請求項１記載の高速道路車両搬送設備において、
前記高速道路車両搬送装置を走行させる前記高速道路ガイドレールとは別に、並行して前記高速道路の中央分離帯側に高速道路ガイドレールを設け、救急・消防設備又は前記自動車車両使用者への商品販売機器等を搭載した搬送装置を走行させる高速道路緊急・サービス機器搬送設備を備えていることを特徴とする高速道路車両搬送設備。
【請求項２２】
請求項１記載の高速道路車両搬送設備において、
前記高速道路車両搬送装置が前記自動車車両を牽引搬送しているかいないかを把握、管理し、前記高速道路車両搬送設備を利用する使用者がインターネット等を介し利用前に予め前記自動車車両を牽引搬送していない前記高速道路車両搬送装置を予約登録可能にする空席管理・座席予約設備を備えていることを特徴とする高速道路車両搬送設備。
【請求項２３】
請求項１記載の高速道路車両搬送設備において、
前記高速道路車両搬送装置が前記自動車車両を牽引搬送した距離と牽引搬送された前記自動車車両の種別を把握、管理し、前記高速道路車両搬送設備の走行利用料金を算出する料金管理設備を備えていることを特徴とする高速道路車両搬送設備。
【請求項２４】
請求項１〜２３のいずれか１項記載の高速道路車両搬送装置により牽引搬送するために前記高速道路車両搬送装置に解除可能に連結される車両連結装置を備えた自動車車両。
【請求項２５】
請求項２４記載の自動車車両において、
前記高速道路車両搬送装置を利用して牽引搬送する区間を設定入力し、前記自動車車両に搭載されるＥＴＣ端末等の通信装置を介して前記高速道路車両搬送装置に前記設定入力した区間情報を伝達する自動車車両情報設定・表示装置を備えていることを特徴とする自動車車両。
【発明の詳細な説明】
【技術分野】
【０００１】
本発明は、高速道路設備及び高速道路を利用する自動車交通機関としての高速道路車両搬送設備及びそれを利用する自動車車両に関する。
【背景技術】
【０００２】
ここ数年、世界各地で異常気象による巨大ハリケーン／台風の到来、気温の上昇等が発生し、地球温暖化防止が身近な問題として実感するに到っている。１９９７年地球温暖化防止京都会議で京都議定書が議決され、先進国各国ではこれに向けて様々な取組みを開始している。日本においても２００２年京都議定書目標達成計画が批准され、２００８年から２０１２年までの期間中に温室効果ガスの排出量を１９９０年に比べて６％削減する目標が設定された。
【０００３】
日本においては、経済産業省、環境省、国土交通省が中心となり、ＣＯ２総排出量の約２割を占める運輸部門において、電気自動車、燃料電池車等の次世代エコカーの開発、代替燃料の開発、省エネ交通機関（鉄道）への切替え等の施策が進められているが、２００５年度のＣＯ２総排出量は１３億６０００万トンと算出され、これは２００４年度（１２億５０００万トン）（環境省「温室効果ガスの排出・吸収目録」）から逆に増加しており、この点からも社会インフラの整備が急務となっている。
【０００４】
電気自動車の開発においては、長距離を走行可能な大容量であり且つ短時間に充電可能なバッテリー（蓄電器）として、Ｌｉ−ｉｏｎ電池の開発が活発である。しかしながら、Ｌｉ−ｉｏｎ電池は現状では大型で高価格であり、市街地の走行のみを対象としたコミュータ用電気自動車が一部実用化されているのみで、長距離も走行できる一般用電気自動車の開発は２０３０年頃の実用化予定となっている（非特許文献１参照）。
【０００５】
また、燃料電池車としては水素を燃料とする自動車の開発・実証実験が始まっているが、燃料電池車の車両価格が現状ガソリン車の約２０倍も高価であり、燃料スタンド等の社会インフラの整備、高圧ガスを搭載することでの安全性への配慮等、普及には大きな壁があると言わざるを得ない。
【０００６】
代替燃料としてバイオエタノール燃料の利用が始まっているが、原料の穀物を燃料生産にまわすことから、食料価格の高騰を招く事態となっており、また、バイオ燃料の製造価格がガソリンより高く、全面的な適用には多々の問題がある。
【０００７】
貨物等の輸送手段をトラックから、ＣＯ２排出の小さい鉄道輸送に切替えるモーダルシフトが提唱され、日本でも鉄道輸送に切替えられた商品にエコレールマーク認定を与え推進しているが、貨物の積替えが必要で、積替場所、時間に制約があり、速達性、コスト面でのトラック輸送の利便性、優位性を越えることができず、鉄道貨物での輸送量も減少気味である。
【０００８】
また、高速道路において、自動車やコンテナを専用台車の上に搭載し、前記台車が自動車の代わりに高速道路を走行・操舵する交通／搬送システムが提案されている（特許文献１）が、鉄道を利用したモーダルシフトと同様に、自動車、貨物の載せ替え、積み替えが必要であり、自動車交通の利便性を損なうことになる。更に、非特許文献１では、高速道路で貨物トラックを隊列走行させることで、後続車両の空気抵抗を減少させ、走行効率を上げることが提案されているが、自動車、貨物トラック自体のエンジンを使用して走行することから、ＣＯ２を大幅に削減するのは難しい。
【特許文献１】特願平９−５０４９７１（ＷＯ９７／０２１６７）号公報（「交通／搬送システム」）
【非特許文献１】”次世代自動車・燃料イニシアティブ”（経済産業省  平成１９年５月  次世代自動車・燃料に関する懇談会資料）
【発明の開示】
【発明が解決しようとする課題】
【０００９】
自動車の利用形態は、１００ｋｍ圏内の市街地走行と高速道路を利用した長距離走行に概ね分別される。市街地走行では、集配、通勤、買物等で利用者毎に異なる走行パターンが存在し、頻繁な加減速が発生する。現在のところ、この市街地走行において自動車を超える利便性の良い交通手段は存在しない。しかしながら高速道路走行は各インターチェンジ毎に一般道路への乗り降りが発生する以外、全ての車両が１００ｋｍ／ｈ程度の定速走行を行うため、大量輸送機関による効率的な輸送への転換（モーダルシフト）が可能である。
【００１０】
これまで、モーダルシフトというと、個々の自動車の車両全体や貨物を鉄道車両のように別の輸送機関に載せ替える方式のため、元々、自動車車両が持つ走行車両である特徴が失われ、この載せ替えのためにいつでも・どこでも走行できるという利便性が損なわれるという問題点がある。
【００１１】
本発明の第１の目的は、上記した従来の交通手段の様々な問題・課題を解決し、高速道路での自動車車両（自家用車・トラック・バス等）のＣＯ２排出を大幅に削減し、エネルギー効率の良い高速道路の交通システムを提供することである。
【００１２】
また、前記交通システムにおいて、一般道走行と高速道路移動の間で自動車車両の載せ替え、貨物の積替えの必要のない利便性のよい走行形態移行（モーダルシフト）を実現することが第２の目的である。
【課題を解決するための手段】
【００１３】
本発明では、高速道路の中央分離帯側に前記高速道路の走行車線と並行して設けられた高速道路ガイドレールを専用走行路とし、前記高速道路ガイドレールに沿って敷設された電力供給線からの電力供給を受けて走行する高速道路車両搬送装置が、自動車車両を牽引搬送することにしたことが第１の特徴である。
【００１４】
本発明では自動車車両の主構成要素である車体、走行輪（タイヤ）、操舵機構（ハンドル他）、駆動機構（エンジン）の内、高速道路走行においては、駆動機構のみを本発明で提供する輸送機関（高速道路車両搬送装置）が担い、人・貨物を載せて走行する車体、走行輪（タイヤ）、操舵機構は、自動車車両自体を使用し、前記輸送機関に牽引されて走行することにしたことが第２の特徴である。
【００１５】
高速道路の前記輸送機関は中央分離帯側を一定速度（例：１００ｋｍ／ｈ）で高速走行させ、前記輸送機関を利用する自動車車両は、インターチェンジの進入路から前記輸送機関に牽引されるまで、また、前記輸送装置による牽引状態から離れ、インターチェンジの退出路までは、運転手が自動車車両自体の機構を使用し走行する。
【００１６】
また、高速道路で分岐が必要な場合も、分岐路への離脱や分岐先の前記輸送機関に牽引されるまでは、運転手が自動車車両自体の機構を使用し走行を分担することで、前記輸送機関で分岐機構を考慮する必要がなく、機構の簡略化が図れることが第３の特徴である。
【００１７】
高速道路ガイドレールを、現状では高速道路の中央分離帯側のガードレールやガードポストが設置されているスペース位置に、自動車車両走行路に並行して設置し、高速道路車両搬送装置を、前記高速道路ガイドレール上を一定の前後間隔を保ちながら高速道路の最高許容速度（日本では１００ｋｍ／ｈ）で定速にて走行させる。前記高速道路車両搬送装置は、自動車車両走行路側に腕木を出し、この腕木で自動車車両を牽引走行できるようにする。
【００１８】
高速道路のインターチェンジから進入してきた自動車車両は、定速で走行する前記高速道路車両搬送装置の前記腕木に近づき、自動車車両側からの指示により、車両連結装置を使用して前記腕木と連結を行う。
前記前期腕木との連結後は、自動車車両の運転手は自動車車両の駆動装置をフリーラン（ニュートラル）状態として前記高速道路車両搬送装置による牽引走行状態に入る。
【００１９】
自動車車両の運転手は、目的地インターチェンジの近傍に達すると自動車車両の駆動装置をフリーラン状態から駆動状態とし走行速度を前記高速道路車両搬送装置の走行速度と一致させた後、自動車車両側からの指示により、前記車両連結装置と前記腕木との連結を解除する。その後、自動車車両の運転手は前記腕木から自動車車両を離し、高速道路の低速側走行路を経由し目的地インターチェンジの退出路から退出する。これにより、自動車車両運転手が自由な意志で、いつでも・どこでも高速道路車両搬送設備を利用でき、一般道走行と高速道路移動の間で自動車車両の載せ替え、貨物の積替えの必要のない利便性のよいモーダルシフトが提供できることが、第４の特徴である。
【００２０】
前記腕木は高速道路を自走する自動車車両が自動車車両側に取付けた車両連結器を用いて前記腕木を捕獲し、連結できる構造にて記載しているが、前記腕木側で自動車車両を捕獲する構造でもよく、自動車車両の運転手の意志で自動車車両と前記高速道路車両搬送装置が連結できる構造であれば同じ効果を果たすことは明らかである。
【００２１】
本発明の高速道路車両搬送装置はその動力として、前記高速道路搬送設備の電力供給線から供給される電気エネルギーを利用し、モーターもしくはリニアモータ等で駆動力を得ることで、従来のガソリン、軽油等の燃料を使用する自動車車両に比べ約４倍のエネルギー変換効率を得ることができ、また、ＣＯ２ガスの排出のないクリーンな高速道路の交通システムを得ることが第５の特徴である。
【発明の効果】
【００２２】
前記までで記述した以外の本発明の効果を次に記載する。
従来、バッテリー容量の小さな電気自動車では長距離走行が出来ず、これが電気自動車の本格的普及を阻害していると考えられていたが、本発明の高速道路交通システムを利用すると、自動車車両に搭載されている燃料、バッテリーを消費することなく長距離移動を可能とするため、バッテリー容量の小さな電気自動車でも走行距離の問題が解決され、環境負荷の小さい電気自動車による車社会への転換を促進することになる。これにより、一般道路（市街地）においてもＣＯ２排出が削減され、本発明の直接的効果である高速道路でのＣＯ２排出削減と合わせ、自動車輸送全般でのＣＯ２削減による地球温暖化防止を図ることが可能となる。
【００２３】
また、本格的な電気自動車の普及のためには、従来のガソリンスタンド（ＧＳ）の如くバッテリー充電設備の社会インフラ整備が必要であるが、普及の初期段階では、このインフラ整備が十分でなく、電気自動車の使用者は充電不足を避けるために長距離移動の前後でバッテリーの充電設備を探し廻ることが予想される。本発明の如く高速道路走行中にバッテリーの充電が行えると、電気自動車には高速道路に到着するまでの電池エネルギーが残っておればよく、電気自動車の普及をさらに促進できる。
【００２４】
更に、本発明により、高速道路で自動車車両の運転手が運転操作から開放されることで、次のような新たなライフスタイルの創出が期待できる。
まず、長距離運転でこれまで疲労していた自動車車両の運転手が、逆に、高速道路移動の時間を利用して仮眠、休養し、疲労回復を図ることができ、高速道路及び高速道路を退出し一般道路を運転走行する場合での事故予防が図れる。
自家用車両で長距離の旅行を行う場合、従来、運転による疲労の大きい夜間の時間帯を避ける傾向にあったが、長距離移動中の運転操作が不要なことから、旅行機会が増加し、旅行時間の効率的な利用を目的として夜間に長距離移動、昼間の時間帯に観光というライフスタイルが生まれ、移動時間帯の流動化が図れる。これにより、交通渋滞の緩和や夜間電力の利用促進が図れるという効果がある。
さらに自家用車両では、長距離移動中に運転手も含めた余暇の創出が可能となり、運転座席と後部座席の対面化、運転座席のリラクゼーション機器の装備等のアメニティ効果の高い自動車車両の販売が促進されるという効果がある。
【００２５】
また、前記高速道路のガイドレールは、高速道路を走行する自動車車両を牽引搬送する車両搬送装置の走行路として使用しているが、該高速道路ガイドレールのさらに中央分離帯寄りに並行して、もう１式の高速道路ガイドレールを設置することで、自動車車両を牽引する目的とは別の高速道路のサービスシステムを得ることができる。
例えば、後者の高速道路ガイドレール上を、前記高速道路車両搬送装置の走行部を使用し車両搬送牽引用の前記腕木の代わりに、救急、消防設備を搭載した搬送装置を前記高速道路車両搬送装置より高速で走行させ、高速道路の任意の位置で減速、停止させることで、高速道路上で事故が発生した場合、高速道路上の自動車車両に行く手を阻まれることなく事故現場に急行することが出来、また、負傷者を搬出することが可能となる。また、飲食物、他の商品販売機器を搭載させた前記搬送装置を走行させることで、前記高速道路車両搬送装置に牽引される自動車車両の利用者に高速道路走行中においても商品提供のサービスを行うシステムを提供できることも可能となる。
【発明を実施するための最良の形態】
【００２６】
以下、添付した図面を参照してこの発明による高速道路車両搬送設備の実施形態について、その詳細を説明する。
【実施例１】
【００２７】
図１は、本発明による車両搬送装置を利用した高速道路における移動方法を説明する図である。
現状では高速道路１の中央分離帯２側のガードレールやガードポストが設置されているスペース位置に、本発明による高速道路ガイドレール３が自動車車両走行路６に並行して設置される。高速道路ガイドレール３上には、複数の車両搬送装置５が、一定の前後間隔を保ちながら高速道路１の最高許容速度（日本では１００ｋｍ／ｈ）で定速にて走行される。車両搬送装置５は、自動車車両走行路６側に腕木９を出しており、この腕木９で自動車車両４を牽引走行できるように構成されている。
【００２８】
高速道路１のインターチェンジの進入路７から進入してきた自動車車両４は、定速で走行する車両搬送装置５の腕木９に近づき、自動車車両４側からの指示により、車両連結装置１０（詳細は後述する）を使用して腕木９と連結を行う。自動車車両４を腕木９と連結させた後は、自動車車両４の運転手は、自動車車両４の駆動装置をフリーラン（ニュートラル）状態として車両搬送装置５による牽引走行状態に入る。
【００２９】
自動車車両４が目的地インターチェンジの近傍に達すると、運転手は、自動車車両４の駆動装置をフリーラン状態から駆動状態とし、走行速度を車両搬送装置５の走行速度と一致させる。その後、自動車車両４側からの指示により、腕木９と車両連結装置１０との連結を解除する。自動車車両４の運転手は腕木９から自動車車両４を離し、高速道路１の低速側走行路６を経由し目的地インターチェンジの退出路８から退出する。これにより、自動車車両４の運転手が自由な意志で、いつでも・どこでも高速道路車両搬送設備を利用でき、利便性のよいモーダルシフトが提供される。
【００３０】
図１に示す実施例では、腕木９は高速道路１を自走する自動車車両４が当該車両側に取付けた車両連結器１０を用いて腕木９を捕獲し、連結できる構造としているが、腕木９側で自動車車両４を捕獲する構造でもよく、自動車車両４の運転手の意志で自動車車両４と車両搬送装置５が連結できる構造であれば同じ効果を果たすことができる。
【００３１】
図２は、本発明による高速道路車両搬送設備の全体システムを示すブロック図である。
本発明による高速道路車両搬送設備は、その基本的な要素として、車両搬送装置５、ガイドレール３、車両連結装置１０を備えた自動車車両４、車両搬送装置スタッカー１１、輸送管理装置１２、変電設備（変電所）１４、電力管理設備１５、車両搬送空席管理・座席予約設備１７、及び車両搬送料金管理設備１８を挙げることができる。
【００３２】
車両搬送装置５は、その動力として、高速道路搬送設備の変電設備（変電所）１４から電力供給線を通じて供給される電気エネルギーを利用し、電力でモーター若しくはリニアモータ等を駆動し、その駆動力を得る。これにより、従来のガソリン、軽油等の燃料を使用する自動車車両に比べ約４倍のエネルギー変換効率を得ることができ、また、ＣＯ２ガスの排出のないクリーンな高速道路の交通システムを得ることができる。ここで、車両搬送装置５は、定速で走行させることから、モーター若しくはリニアモータ等の動作パラメータを注意深く調整することで、エネルギー変換効率の更なる向上が期待できる。
【００３３】
車両搬送装置５は、前記の如く、自動車車両４を牽引駆動するだけの動力性能を持てばよく、例えばリニアモータとすることで薄型の装置とすることができる。また、車両搬送装置５の走行路となる高速道路ガイドレール３においても、高速道路ガイドレール３内部を車両搬送装置５の走行部が走行するようにし、また、車両搬送装置５への電力供給線及び車両搬送装置５との通信線もガイドレール３内に設置することで、設備の占有スペースを小さく抑えることができ、既存の走行路線を占有せず、設置工事期間も短く抑えることができる。
【００３４】
車両搬送装置５は、該装置５に給電される電力を使用して、自動車車両４に搭載されるバッテリー（蓄電池）３４に電力を充電する充電装置１９を備えている。自動車車両４は、高速道路のサービスエリアに設けられた給油所、給電所に駐停車することなく、牽引走行中に充電装置１９から自動車車両４のバッテリー（蓄電池）３４に電力を充電することができる。
【００３５】
車両搬送装置５は、ガイドレール３上に設置された位置マーカーを検出し、当該マーカーに記載されている位置情報を読み取ることができる。また、該装置５は、それ自体に内蔵した走行距離積算機構で該装置の走行位置を認識する機能を持つ。また、該装置５は、自動車車両４を牽引しているか否か、牽引している場合の自動車車両４の種別、牽引区間、該装置５が停車、減速、走行状態の何れの状態にあるのか、該装置５の走行速度、該装置５の負荷電流値、該装置５の故障・異常の有無、等の情報を、該装置５の走行状態として認識する機能を持つ。
【００３６】
車両搬送装置５は、該装置５の走行位置及び走行状態を該装置５側に設置されているガイドレール通信機構３０（図４参照）とガイドレール３に設置されているガイドレール通信機構２９（図３参照）とを介して、輸送管理装置１２に逐次情報伝達する。輸送管理装置１２は、これによりガイドレール３上に存在する全ての車両搬送装置５の走行位置及び走行状態を入手、管理する。
【００３７】
輸送管理装置１２は、全ての車両搬送装置５の走行状態を監視し、ある車両搬送装置５に事故や異常が発生したと検知すると、当該車両搬送装置５に対し減速、停止の指示を行うと共に、該装置５に後続する車両搬送装置５に対しても、減速、停止の指示を行う。これにより、自動車車両４に追突することなく減速、停止する安全な高速道路交通システムを得ることができる。
【００３８】
輸送管理装置１２が管理する車両搬送装置５の走行位置及び走行状態は、車両搬送空席管理・座席予約設備１７に伝達され、車両搬送空席管理・座席予約設備１７で情報管理される。こうした情報管理によって、高速道路を利用する自動車車両４の使用者は、インターネット３９等の通信回路網を介して車両搬送空席管理・座席予約設備１７のホームページにアクセスし、車両搬送設備の空席状況（自動車車両を牽引していない車両搬送装置５の番号や位置の表示）を検索する、或いは予め利用時刻、利用区間等を指定して使用する車両搬送装置５を予約登録することができる。
【００３９】
また、車両搬送空席管理・座席予約設備１７はこの予約登録情報を、ガイドレール通信機構２９及び車両搬送装置ガイドレール通信機構３０を介して車両搬送装置５に伝達し、当該車両搬送装置５は、車両搬送装置表示機構２３に、予約登録の有無、予約区間を表示する。これにより、自動車車両４の運転手は、車両搬送装置５が予約登録されているか否かを認識することができる。
【００４０】
自動車車両４と車両搬送装置５との間は、車両連結装置１０と車両搬送装置５の腕木９との間を物理的に連結できるようにする他、自動車車両４に搭載した例えばＥＴＣ端末３３等の通信装置と車両搬送装置５側に搭載した例えばＥＴＣ送受信器等の車両搬送装置通信機構２０との間で、通信によっても接続されている。
自動車車両情報設定・表示装置２１（図７参照）を自動車車両４に搭載した例えばＥＴＣ端末３３等の通信装置と接続することで、車両連結装置１０を備えた自動車車両４の利用者は、自動車車両情報設定・表示装置２１で入力又は予め設定した車両搬送装置５の利用区間、自動車車両種別を車両搬送装置５に伝達することができる。
【００４１】
目覚まし報知機構２２（図４参照）は、車両搬送装置５内で自動車車両４から伝達された車両搬送装置５の利用区間の終端側位置と車両搬送装置５の走行位置とを比較し、両位置間の距離が一定距離以下になれば運転者に注意報知し、自動車車両４の車両連結装置１０の連結が解除するまで報知を行うことができる。
【００４２】
車両搬送装置５において、自動車車両４の車両連結装置１０と連結し車両搬送装置５が牽引走行を開始した該装置５の走行位置と、当該自動車車両４の車両連結装置１０との連結が解除され車両搬送装置５の牽引走行が終了した該装置５の走行位置とが記憶され、牽引走行の開始位置と終了位置との間の距離が牽引走行距離として記憶される。車両搬送装置５は、牽引走行距離、自動車車両から伝達された自動車車両種別、及び／又は車両搬送装置５の負荷電流値を、車両搬送料金管理設備１８に伝達する。
【００４３】
車両搬送料金管理設備１８では、牽引走行距離、自動車車両種別及び／又は車両搬送装置５の負荷電流値に応じた料率、及び夜間電力利用等の割引率を考慮して、車両搬送装置５の牽引走行利用料金を算出する。また、車両搬送料金管理設備１８は、該設備１８が算出した牽引走行利用料金を車両搬送装置表示機構２３や、自動車車両情報設定・表示装置２１に表示すると共に、ＥＴＣ等のクレジット、プリペイカードからの牽引走行利用料金の徴収を行う。これにより、牽引走行利用料金の徴収は既存の料金徴収システムを利用してその場で行われるため、自動車車両４が高速道路１から降車せず複数回の牽引走行を利用する場合でも、牽引走行の利用距離に応じた徴収が可能となる。また、高速道路インターチェンジ等の料金所での混雑、渋滞から解放される。
【００４４】
また、車両搬送装置５の充電機構１９から電力の充電を受けた自動車車両４のバッテリー（蓄電池）３４の充電料金についても、車両搬送料金管理設備１８により、牽引走行利用料金と合わせて徴収を行うことができる。
【００４５】
変電設備１４は、車両搬送装置５の走行動力用、各機構の制御電源用及び牽引している自動車車両４のバッテリー（蓄電池）３４の充電用電力を、ガイドレール３内に設置された電力供給線を介して供給する。変電設備１４は、商用電力や太陽光発電設備１３、風力発電設備３６からの電力供給を受け、電力供給線の供給電圧に変電する。
【００４６】
ここで、太陽光発電や風力発電等のＣＯ２ガス排出のないエコ電力を優先して使用することで、商用電力の利用が削減される。高速道路１は全路線の区間を通して、遮蔽物の無い、日当たりの良い野外に設置されているため、高速道路１の壁面、屋根部に太陽光発電設備１３を設置することで、効率の良い電力発電が行える。また、この電力を、太陽光発電設備１３の設置場所に近い区間の電力供給線に供給することで、発電設備１３からの送電線を短くすることができ、送電による電力ロスを少なくすることができる。
【００４７】
電力管理設備１５は、電力供給線への供給電力量情報や、電力供給線への電力供給設備の動作状態に関わる情報、或いは高速道路１の沿線の監視映像情報、防災監視情報を入手・管理し、変電設備１４を動作・停止することで、車両搬送設備５の効率のよい運用を行う。また、電力管理設備１５は、事故や異常発生時に電力供給線への電力供給の遮断・投入を指示することで、事故等で走行を中断した区間に停車した自動車車両４の運転手が高速道路１の走行路に下車し、電力供給線に誤って接触し感電しない措置をとる、或いは変電設備１４の異常で電力が供給されない区間の電力供給線へ、異常の発生した変電設備１４とは別の変電設備１４から電力の供給を行う措置をとる。
【００４８】
高速道路１への車両搬送装置５の供給、或いは高速道路１からの車両搬送装置５の回収のため、車両搬送装置スタッカー１１は、複数台の車両搬送装置５を格納する機構を有する。また、車両搬送装置スタッカー１１は、通常、車両搬送設備の両終端部に設置し、終端部に向かう側のガイドレール３の終端と連結させ、終端部に到達した車両搬送装置５を収容し、格納する。更に、車両搬送装置スタッカー１１は、終端部から出て行く側のガイドレール３にも連結し、車両搬送装置スタッカー１１に格納している車両搬送装置５をガイドレール３に供給する機構を有する。
【００４９】
高速道路１の終端部に十分な面積があり、終端部に向かう側のガイドレール３と終端部から出て行く側のガイドレール３を終端部において円弧状のガイドレール６１で連結し、車両搬送装置５が滑らかに走行できる場合は、終端部には車両搬送装置スタッカー１１を設置しないこともできる（図１０参照）。
【００５０】
図３は高速道路に設けられるガイドレールの一例（左側）と車両搬送装置の一例（右側）を示す斜視図である。
本実施例では車両搬送装置５の動力としてリニアインダクションモータを使用しており、リニアインダクションモータの１次側コイルを車両搬送装置５側に搭載した場合の例を示す。しかしながら、多数の車両搬送装置５をガイドレール３上で走行させる場合には、ガイドレール３側を１次コイル側とする機構の方が車両搬送装置５の構造が簡単で設備全体費用が安価となる場合もあり得るが、実施例の紹介は省略する。
【００５１】
図３の左側に示すように、ガイドレール３は矩形の鋼体で構成されており、図１に示したように高速道路１の自動車車両走行路６に並行に設置されている。ガイドレール３の内部は、図３の右側に示す車両搬送装置５が走行できる構造となっている。ガイドレール３の内側には、三相（又は二相）の電力供給線（トロリー線）４０が上部に、アルミ材のリアクションプレート４１が中央分離帯側に、無線通信アンテナ線としてのガイドレール通信機構２９が下側に、それぞれガイドレール３の進行方向全長に渡り連続的に敷設されている。また、ガイドレール３の鋼体外側には、進行方向に一定距離間隔で位置マーカー４３が取り付けられている。ガイドレール３の自動車走行路側には、進行方向全長に渡り連続的に鋼体切れ込みが形成されているので、車両搬送装置５がその腕木９をガイドレール３の外に突出させた状態でガイドレール３内を走行することができる。
【００５２】
車両搬送装置５にはその上部及び下部に走行ローラー４６が取り付けられており、車両搬送装置５はこれらの走行ローラー４６によりガイドレール３の内部を上下振動を抑え滑らかに走行できるようになっている。走行ローラー４６の上部側のローラーは、車両搬送装置５の上部に取付けられた非接触集電機構４２とガイドレール３の電力供給線（トロリー線）４０との間隔を一定の距離に保つ機能も奏している。
【００５３】
車両搬送装置５の上部及び下部には合わせて８個のリニア・ギャップ・ローラー４７が取り付けられている。これらのローラー４７は、車両搬送装置５をガイドレール３の内部を左右の横振動を抑えて滑らかに走行可能にさせると共に、ガイドレール３に敷設されているリアクションプレート４１と車両搬送装置５との間隔を一定距離に保持させている。走行ローラー４６とリニア・ギャップ・ローラー４７により、ガイドレール３と車両搬送装置５とを備えた高速道路の交通システムとして、振動、騒音が少なく、自動車車両を安定して牽引するシステムを得ることができる。
【００５４】
車両搬送装置５の自動車車両走行路６側の側面には、腕木９と操作部５４とが取り付けられている。車両搬送装置５の腕木９には、通信機構２０と表示機構２３とが取り付けられている。通信機構２０と表示機構２３とは、車両搬送装置５を利用する自動車車両４に搭載されているＥＴＣ端末３３との間の通信や表示確認に使用される。操作部５４には、車両搬送装置５によって牽引される自動車車両４のための充電機構１９と、非常停止機構２７とが設けられている。充電機構１９は、自動車車両４の運転手が自動車車両４のバッテリー（蓄電池）３４を充電するのに使用される。また、非常停止機構２７は、車両搬送装置５を非常停止させるのに使用される。
【００５５】
図４は、図３に示すガイドレール内を車両搬送装置が走行する状態を示す前後方向断面図である。また、図５に車両搬送装置の走行部の内部構造と電源及び動力系統を示す側面図である。
【００５６】
車両搬送装置５は、該装置５の動作用電力をガイドレール３の電力供給線（トロリー線）４０からの電磁誘導により非接触集電機構４２で集電する。集電した電力は、周波数変換装置（コンバータ・インバータ）４４に給電され、周波数変換装置４４で電圧・周波数が変換された後、リニアモータ機構４５に給電される。集電電力は、車両搬送装置５側において、腕木９、通信機構２０、表示機構２３、操作部５４等の動作用電力として、また充電機構１９を介して自動車車両４のバッテリー（蓄電池）３４への充電用電力として使用される。
【００５７】
車両搬送装置５は、駆動機構としてリニアインダクションモータを使用しており、車両搬送装置５側には三相１次コイルからなるリニアモータ機構４５が配設されており、ガイドレール３内側にはリアクションプレート４１が敷設されている。
【００５８】
周波数変換装置（コンバータ・インバータ）４４から給電される電力によって、リニアモータ機構４５は起磁力を発生する。車両搬送装置５は、リニアモータ機構４５が発生させる起磁力とガイドレールのリアクションプレート４１に発生する誘導電流との間で生じる吸引・反発作用により、図３に示す進行方向への駆動力を得る。本実施例においては、車両搬送装置５のリニアモータ機構４５とガイドレールのリアクションプレート４１の間隔を小さくすることができることと、リニア・ギャップ・ローラー４７により常に一定の間隔を保持できることとによって、常に安定した大きな磁気吸引・反発力を得ることができる。また、リニアインダクションモータの駆動力は、自動車車両や電車のように車輪の摩擦で伝達される力ではなく、リニアモータ機構４５とリアクションプレート４１の間で直接に伝達される力である。したがって、この高速道路の交通システムにおいては、走行ローラー４６の磨耗が少なく、長距離、長期間の使用においても安定した駆動力を生じさせることができる。
【００５９】
車両搬送装置５の走行速度は、周波数変換装置（コンバータ・インバータ）４４で変換する周波数により制御される。また、車両搬送装置５の牽引力は、周波数変換装置（コンバータ・インバータ）４４で変換する電圧により、制御される。更に、本実施例においては、周波数変換装置（コンバータ・インバータ）４４の内部に負荷電流測定機構が設けられている。負荷電流測定機構が負荷電流を測定することで、車両搬送装置５が牽引している自動車車両４の質量（重量）が判る。したがって、自動車車両４の重量に従った高速道路車両搬送設備１の利用料金を徴収することが可能となる。
【００６０】
車両搬送装置５のガイドレール３における走行位置は、操作部５４に内蔵する位置・終端検知機構２５がガイドレール３の位置マーカー４３を検知することで認識される。ガイドレール３の位置マーカー４３はアンテナコイルと位置データ（高速道路の始点からの距離等）を記憶するメモリ機構とから成る。位置マーカー４３は、車両搬送装置５の位置・終端検知機構２５から出力される電力波を受信するとメモリ機構を動作させ、自己の位置データをアンテナコイルから発信する。位置・終端検知機構２５は、常時、電力波を発信すると共に、位置マーカー４３から発信される位置データを受信する機構を備えている。位置・終端検知機構２５は、位置マーカー４３上を通過する際に位置マーカー４３から受信した位置データを車両搬送装置５の走行位置と認識する。
【００６１】
車両搬送装置５においてより精度の良い走行位置を認識する必要がある場合は、車両搬送装置５が位置マーカー４３を通過した後の経過時間と走行速度とに基づいて位置マーカー４３を通過後の走行距離を得、この走行距離を位置マーカー４３から受信した位置データに加算することで、車両搬送装置の高精度な走行位置を認識することが可能となる。実施例では、ＩＣカード等に使用されている無線通信での位置マーカー４３の読み取り方式を使用したが、その他の物理的、光学的、磁気的方式でも同一の効果が得られる。
【００６２】
車両搬送装置５側の通信機構２０は、現在、高速道路料金収集システムにて使用されている無線通信方式を用いることで、自動車車両搭載のＥＴＣ端末３３（図２参照）との通信を行う。車両搬送装置５に備わる表示機構２３は、マイクロコンピュータ制御の液晶表示部で構成されており、目覚まし報知機構２２もマイクロコンピュータ制御により液晶表示部に注意喚起表示を行うことができる。
【００６３】
また、実施例ではガイドレール３側の通信機構２９と車両搬送装置側の通信機構３０との通信には、ガイドレール３内に敷設されているアンテナケーブルを使用した誘導無線伝送方式が用いられている。また、ガイドレール３自体が導波管の役割をすることから、一般の無線ＬＡＮをガイドレール３側の通信機構２９と車両搬送装置５側の通信機構３０との通信方式として使用することも可能である。
【００６４】
この実施例では、車両搬送装置５は、前方距離測定装置として自動車用ミリ波レーダ２４を備えている。自動車用ミリ波レーダ２４によって、ガイドレール３上を走行する前方の車両搬送装置５までの距離が測定される。当該測定距離が予め定められた一定距離より近くなると、車両搬送装置５の速度制限機構２６は周波数変換装置４４を制御し、リニアモータ機構４５に給電する周波数を減少させることで車両搬送装置５を減速、停止させる。
これにより、前方の車両搬送装置５が事故、故障等により減速、停止した場合に、車両搬送装置５自体でも自動的に減速、停止させ、前方の車両搬送装置５との追突を避けることができる安全な高速道路車両搬送設備を得ることができる。
また、車両搬送装置５の操作部５４には、押し釦からなる非常停止機構２７が設けられている。速度制御機構２６は押し釦の接点状態を取り込む構成としている。自動車車両４の運転手が非常停止機構２７の押し釦を押下すると、速度制御機構２６は、車両搬送装置５を減速、停止させる。これにより、自動車車両４の運転手が車両搬送装置５を緊急停止させることができ、より安全に配慮した高速道路車両搬送設備を得ることができる。
【００６５】
図６は、車両搬送装置５の衝撃緩和機構の実施例を示す概略側面図である。図６に示される衝撃緩和機構２８は、車両搬送装置５の走行部３５の後部に取り付けられる油圧シリンダ５５と、油圧シリンダ５５から突出配置されている緩衝部５６とから構成される。衝撃緩和機構２８は、万が一後続の車両搬送装置５が追突した際の衝撃を緩和させる機構を実現している。衝撃緩和機構２８の油圧シリンダ５５の長さを自動車車両４より長くすることで、追突された場合に、車両搬送装置５に連結されている自動車車両４と後続の車両搬送装置５に連結されている自動車車両４が直接衝突することを防止している。
【００６６】
図７は、自動車車両と車両搬送装置とを連結するための車両連結装置の実施例を示す斜視図である。車両連結装置１０は、高速道路での加速及び減速時の引張力及び圧縮力に耐えることができるように、自動車車両４のフレームに取り付けられる。車両連結装置１０はアーム部４８及び関節部４９を備えている。一般道路走行時等の通常時には、アーム部４８及び関節部４９は折り畳まれて車両連結装置１０の内部に格納される。高速道路１（図１参照）を走行する際には、車両連結装置１０からアーム部４８を外部に伸展し、Ｌ字型に曲げた状態で車両搬送装置５の腕木９に接近する。車両搬送装置５の腕木９に車両連結装置１０のアーム部４８が接触するとアーム部４８の先端部を更に曲げて車両搬送装置５の腕木９を捕獲する。腕木９を捕獲後、運転者は自動車車両４の駆動装置をフリーラン（ニュートラル）状態として車両搬送装置５による牽引走行状態に入る。
【００６７】
自動車車両４が車両搬送装置５の腕木９との連結を解除する手順は、上記の逆になる。アーム部４８の先端部には圧力センサーが設けられており、車両連結装置１０には、牽引状態で圧力センサーが反応（圧力を受けている）状態にある間はアーム部４８を動作できないようインターロックが掛かる機構が備わっている。このインターロック機構によって、自動車車両４がフリーラン（ニュートラル）状態からドライブ状態で車両搬送装置５と同じ速度に到る前に、車両連結装置１０のアーム部４８が動作するのを防止している。
【００６８】
図８は、車両搬送装置スタッカー１１の実施例を示す平面図である。高速道路１の終端には、車両搬送装置スタッカー１１が設けられる。車両搬送装置スタッカー１１は、当該スタッカー１１への進入側のガイドレール３を走行する車両搬送装置５の収容と、当該スタッカー１１からの進出側のガイドレール３への車両搬送装置５の供給と、万が一、高速道路終端までに車両搬送装置５から離脱できず居残った自動車車両４が有る場合に当該居残り自動車車両４を当該スタッカー１１内の居残り車両留置機構３１に留置させる機構を持つ。車両搬送装置スタッカー１１の進入側のガイドレール３には、高速道路の終端が近づいたことを示す位置マーカー４３を設置しておき、当該位置マーカー４３上を通過する車両搬送装置５は、位置・終端検知機構２５が当該位置マーカー４３からの信号を受信することにより、高速道路１の終端が近づいたことを認知する。
【００６９】
高速道路１の終端が近づいたことを認知した車両搬送装置５は、速度制限機構２６により減速を行うと共に前方距離測定機構２４の距離許容範囲を縮め、前方を走行する車両搬送装置５と接近して走行する。この場合、低速であることから、高速道路１上での高速走行状態における２つの車両搬送装置５間の許容安全距離より短い距離まで前後の車両搬送装置５との間隔を縮小させて走行することを許容する。これにより、高速走行状態とほぼ同じ時間間隔で、かつ、緩やかな速度で車両搬送装置５を車両搬送装置スタッカー１１に接近させることができる。
【００７０】
周波数変換装置４４の走行電流が自動車車両４を牽引していない状態での走行電流より大きい場合、又は腕木９に取付けた圧力センサーが圧力を感知している場合には、車両搬送装置５が自動車車両４をまだ牽引していることが認識される。これらの場合には、目覚まし報知機構２２により自動車車両４の運転者に警報を発するとともに、車両搬送装置５側の通信機構３０とガイドレール３側の通信機構２９を介して基地管理設備１６に居残り車両があることが通知される。車両搬送装置５が自動車車両４を牽引していると認識しない場合は、車両搬送装置５は腕木９を折り畳み又は短縮し、車両搬送装置収容部５１に進入する。
【００７１】
基地管理設備１６は、居残り車両の通知を受けると、居残り車両を牽引した車両搬送装置５が車両搬送装置スタッカー１１の収容部５１に接近することを認識する。基地管理設備１６は、収容部５１にある分岐部転換機構５８を転換制御し、居残り車両を牽引した車両搬送装置５を車両搬送装置スタッカー１１内の居残り車両留置機構３１に導く。居残り車両留置機構３１に複数の居残り車両を留置する場所を持つ場合、基地管理設備１６は、車両留置場所単位に居残り車両の有無を記憶し、居残り車両留置機構３１にある分岐部転換機構５８を転換制御し、居残り車両が無しの車両留置場所に居残り車両を牽引した車両搬送装置５を導く。居残り車両留置機構３１に進入した車両搬送装置５は、居残り車両留置機構３１にあるガイドレールの位置マーカー４３を検知し停止することで、居残り車両を留置する。これにより、高速道路１の車両搬送装置５を利用する自動車車両４の運転手が、万が一、高速道路１の終端まで乗り過ごし、車両搬送装置５に連結された状態であっても、高速道路車両搬送設備から安全に切り離し、留置できる切離・留置システムを得ることができる。
【００７２】
基地管理設備１６は、居残り車両を牽引しない車両搬送装置５が車両搬送装置スタッカー１１の収容部５１に接近した場合は、収容部５１にある分岐部転換機構５８を転換制御し、車両搬送装置５を車両搬送装置格納部５２に導く。車両搬送装置格納部５２は、異常、故障等で点検・保守の必要な車両搬送装置５と点検・保守の必要のない車両搬送装置５に分別し、点検・保守の必要のない車両搬送装置５を車両搬送装置スタッカー１１の車両搬送装置供給部５３に導く。
【００７３】
高速道路１への車両搬送装置５の送り出し・供給は、車両搬送装置スタッカー１１の車両搬送装置供給部５３を高速道路１の終端部から出て行く側のガイドレール３に連結しておき、基地管理設備１６からの指示を受けて車両搬送装置供給部５３から車両搬送装置５を順次送出することで行う。
基地管理設備は１６、車両搬送装置スタッカー１１の車両搬送装置供給部５３に車両搬送装置５の送出を指示するタイミングを、高速道路１に自動車車両４が多い時期や時間帯には該タイミング間隔を短く、自動車車両４が少ない時期や時間帯には該タイミング間隔を長くする。これにより、交通需要に応じて高速道路１を走行する車両搬送装置５の台数を増減させ、効率的な輸送を行うことができる。
【００７４】
図９は、ガイドレールの分岐機構の実施例を示す平面図である。ガイドレール分岐機構は、分岐部５７、分岐部転換機構５８、本線分岐路５９及び枝線分岐路６０を備えており、分岐部５７を分岐部転換機構５８の回転機構で移動し、分岐路５７と本線分岐路５９若しくは枝線分岐路６０と連続した位置で停止することでガイドレールの分岐を行う。
【産業上の利用可能性】
【００７５】
本発明の実施例としては、車両搬送装置の動力としてリニアインダクションモータを使用した例を示すが、電気エネルギーを使用した効率の良い駆動装置であれば同じ効果が得られることは自明である。
【図面の簡単な説明】
【００７６】
【図１】本発明による車両搬送装置を利用した高速道路における移動方法の説明図である。
【図２】本発明による高速道路車両搬送設備の全体システムの説明図である。
【図３】ガイドレールと車両搬送装置（実施例）の説明図である。
【図４】ガイドレールと車両搬送装置の前後方向断面図である。
【図５】車両搬送装置の側面断面図で電源及び動力系統を示す。
【図６】車両搬送装置衝撃緩衝機構（実施例）の説明図である。
【図７】自動車車両連結装置と車両搬送装置との連結方法を示す。
【図８】車両搬送装置スタッカー（実施例）の説明図である。
【図９】ガイドレールの分岐機構の説明図である。
【図１０】高速道路終端部に車両搬送装置スタッカーを設置しない例の説明図である。
【符号の説明】
【００７７】
１  高速道路                          ２  高速道路の中央分離帯
３  ガイドレール                      ４  自動車車両
５  車両搬送装置                      ６  自動車車両走行路
７  高速道路インターチェンジからの進入路
８  高速道路インターチェンジへの退出路
９  車両搬送装置の腕木              １０  車両連結装置
１１  車両搬送装置スタッカー          １２  車両搬送設備輸送管理設備
１３  太陽光発電設備                  １４  変電設備
１５  電力管理設備                    １６  基地管理設備
１７  車両搬送空席管理・座席予約設備  １８  車両搬送料金管理設備
１９  車両搬送装置充電機構            ２０  通信機構
２１  車両情報設定・表示装置          ２２  目覚まし報知機構
２３  表示機構                        ２４  前方距離測定機構
２５  位置・終端検知機構              ２６  速度制限機構
２７  非常停止機構                    ２８  衝撃緩和機構
２９  通信機構（ガイドレール側）      ３０  通信機構（車両搬送装置側）
３１  居残り車両留置機構              ３２  緊急・サービス機器搬送設備
３３  車両搭載のＥＴＣ端末            ３４  バッテリー（蓄電池）
３５  走行部                          ３６  風力発電設備
３７  商用発電設備                    ３８  空席検索、座席予約端末
３９  インターネット                  ４０  電力供給線（トロリー線）
４１  リアクションプレート            ４２  非接触集電機構
４３  位置マーカー            ４４  周波数変換装置（コンバータ・インバータ）
４５  リニアモータ機構                ４６  走行ローラー
４７  リニア・ギャップ・ローラー      ４８  車両連結装置アーム部
４９  車両連結装置関節部              ５０  インターチェンジ料金所
５１  車両搬送装置スタッカー収容部    ５２  車両搬送装置格納部
５３  車両搬送装置供給部              ５４  操作部
５５  衝撃緩和機構油圧シリンダ        ５６  衝撃緩和機構緩衝部
５７  分岐部                          ５８  分岐部転換機構
５９  本線分岐路                      ６０  枝線分岐路
６１  円弧状のガイドレール
【図１】
2008280030.tif 000003
【図２】
2008280030.tif 000004
【図３】
2008280030.tif 000005
【図４】
2008280030.tif 000006
【図５】
2008280030.tif 000007
【図６】
2008280030.tif 000008
【図７】
2008280030.tif 000009
【図８】
2008280030.tif 000010
【図９】
2008280030.tif 000011
【図１０】
2008280030.tif 000012